(57)【要約】【課題】簡便なユーザー認証の実現に伴うコストの上昇を抑制することが可能な画像表示システム、画像表示装置及び画像表示システムの制御方法を提供する。【解決手段】プロジェクター１と端末装置２とを備える画像表示システム１００であって、プロジェクター１は、画像を投写する画像投写部１７と、描画画像の画像情報等が記憶される記憶部１１と、近距離無線通信によってログイン情報が書き込まれるＮＦＣタグ１４と、書き込まれたログイン情報に基づいてユーザー認証を行う認証部２８と、認証部２８による認証が成立した場合に、描画画像の画像情報等の読み出しを許可する制御部１０と、を備え、端末装置２は、ログイン情報入力画面に入力されたユーザーＩＤとパスワードとに基づいて、近距離無線通信によってＮＦＣタグ１４にログイン情報を書き込むＮＦＣリーダーライターを備える。【選択図】図２
2020009152.tif 000002
【特許請求の範囲】
【請求項１】
画像表示装置と端末装置とを備える画像表示システムであって、
前記画像表示装置は、
画像を表示する表示部と、
第１の情報を記憶する第１の記憶部と、
近距離無線通信によって第２の情報が書き込まれる第２の記憶部と、
前記第２の記憶部に書き込まれた前記第２の情報に基づいて認証を行う認証部と、
前記認証部による認証が成立した場合に、前記第１の情報の読み出しを許可する制御部と、を備え、
前記端末装置は、
認証情報を入力するための入力部と、
前記入力部により入力された前記認証情報に基づいて、前記近距離無線通信によって前記第２の記憶部に前記第２の情報を書き込む書き込み部と、
を備えたことを特徴とする画像表示システム。
【請求項２】
請求項１に記載の画像表示システムであって、
前記画像表示装置は、
指示体による指示位置を検出する検出部と、
前記指示位置の軌跡に基づいて画像情報を生成する生成部と、をさらに備え、
前記第１の情報は、前記生成部で生成された前記画像情報であることを特徴とする画像表示システム。
【請求項３】
請求項１に記載の画像表示システムであって、
前記画像表示装置は、前記表示部が表示する画像の画像情報を画面単位で取得する取得部をさらに備え、
前記第１の情報は、前記取得部で取得された画像情報であることを特徴とする画像表示システム。
【請求項４】
請求項１に記載の画像表示システムであって、
前記第１の情報は、前記画像表示装置の動作に関するパラメーターであることを特徴とする画像表示システム。
【請求項５】
請求項１〜４のいずれか一項に記載の画像表示システムであって、
前記画像表示装置は、前記表示部を収容する筐体を備え、
前記第２の記憶部は、前記筐体の外部に配置されることを特徴とする画像表示システム。
【請求項６】
第１の情報を記憶する第１の記憶部と、
近距離無線通信によって第２の情報が書き込まれる第２の記憶部と、
前記第２の記憶部に書き込まれた前記第２の情報に基づいて認証を行う認証部と、
前記認証部による認証が成立した場合に、前記第１の情報の読み出しを許可する制御部と、
を備えたことを特徴とする画像表示装置。
【請求項７】
請求項６に記載の画像表示装置あって、
指示体による指示位置を検出する検出部と、
前記指示位置の軌跡に基づいて画像情報を生成する生成部と、をさらに備え、
前記第１の情報は、前記生成部で生成された前記画像情報であることを特徴とする画像表示装置。
【請求項８】
請求項６に記載の画像表示装置であって、
前記表示部が表示する画像の画像情報を画面単位で取得する取得部をさらに備え、
前記第１の情報は、前記取得部で取得された画像情報であることを特徴とする画像表示装置。
【請求項９】
請求項６に記載の画像表示装置であって、
前記第１の情報は、前記画像表示装置の動作に関するパラメーターであることを特徴とする画像表示装置。
【請求項１０】
請求項６〜９のいずれか一項に記載の画像表示装置であって、
前記表示部を収容する筐体を備え、
前記第２の記憶部は、前記筐体の外部に配置されることを特徴とする画像表示装置。
【請求項１１】
端末装置と、第１の記憶部及び第２の記憶部を有する画像表示装置とを備える画像表示システムの制御方法であって、
前記端末装置に入力された認証情報に基づいて、前記端末装置が近距離無線通信によって前記第２の記憶部に第２の情報を書き込み、
前記画像表示装置が、前記第２の記憶部に書き込まれた前記第２の情報に基づいて認証を行い、
前記画像表示装置が、前記認証が成立した場合に、前記第１の記憶部に記憶されている第１の情報の読み出しを許可することを特徴とする画像表示システムの制御方法。
【請求項１２】
請求項１１に記載の画像表示システムの制御方法であって、
前記画像表示装置は、指示体による指示位置を検出し、前記指示位置の軌跡に基づいて画像情報を生成し、
前記第１の情報は、前記指示位置の軌跡に基づいて生成された前記画像情報であることを特徴とする画像表示システムの制御方法。
【請求項１３】
請求項１１に記載の画像表示システムの制御方法であって、
前記画像表示装置は、表示する画像の画像情報を画面単位で取得し、
前記第１の情報は、前記画面単位で取得された画像情報であることを特徴とする画像表示システムの制御方法。
【請求項１４】
請求項１１に記載の画像表示システムの制御方法であって、
前記第１の情報は、前記画像表示装置の動作に関するパラメーターであることを特徴とする画像表示システムの制御方法。
【請求項１５】
請求項１１〜１４のいずれか一項に記載の画像表示システムの制御方法であって、
前記画像表示装置は、画像を表示する表示部と、前記表示部を収容する筐体とを備え、
前記第２の記憶部は、前記筐体の外部に配置されることを特徴とする画像表示システムの制御方法。
【発明の詳細な説明】
【技術分野】
【０００１】
本発明は、画像表示システム、画像表示装置及び画像表示システムの制御方法に関する。
【背景技術】
【０００２】
従来、ユーザーの認証が成立した場合に限り使用が可能となる画像表示システムが知られている。特許文献１には、個人認証符号が記録されたＩＤカードを用いて認証を行うプロジェクターが記載されている。プロジェクター等の画像表示装置は、パスワードの入力に適したキーボードやタッチパネルを具備していないため、ＩＤカードを用いた認証は、パスワード等を利用した認証に比べて簡便であり、ユーザーの利便性が向上する。
【先行技術文献】
【特許文献】
【０００３】
【特許文献１】特開２００５−１８１６０６号公報
【発明の概要】
【発明が解決しようとする課題】
【０００４】
しかしながら、特許文献１に記載の技術では、ＩＤカードに記録された情報を読み出す装置をプロジェクターが備える必要があるため、プロジェクターの構成が複雑になり、コストが上昇してしまうという問題を有している。
【課題を解決するための手段】
【０００５】
本願の画像表示システムは、画像表示装置と端末装置とを備える画像表示システムであって、前記画像表示装置は、画像を表示する表示部と、第１の情報を記憶する第１の記憶部と、近距離無線通信によって第２の情報が書き込まれる第２の記憶部と、前記第２の記憶部に書き込まれた前記第２の情報に基づいて認証を行う認証部と、前記認証部による認証が成立した場合に、前記第１の情報の読み出しを許可する制御部と、を備え、前記端末装置は、認証情報を入力するための入力部と、前記入力部により入力された前記認証情報に基づいて、前記近距離無線通信によって前記第２の記憶部に前記第２の情報を書き込む書き込み部と、を備えたことを特徴とする。
【０００６】
上記の画像表示システムにおいて、前記画像表示装置は、指示体による指示位置を検出する検出部と、前記指示位置の軌跡に基づいて画像情報を生成する生成部と、をさらに備え、前記第１の情報は、前記生成部で生成された前記画像情報であることが望ましい。
【０００７】
上記の画像表示システムにおいて、前記画像表示装置は、前記表示部が表示する画像の画像情報を画面単位で取得する取得部をさらに備え、前記第１の情報は、前記取得部で取得された画像情報であることが望ましい。
【０００８】
上記の画像表示システムにおいて、前記第１の情報は、前記画像表示装置の動作に関するパラメーターであることが望ましい。
【０００９】
上記の画像表示システムにおいて、前記画像表示装置は、前記表示部を収容する筐体を備え、前記第２の記憶部は、前記筐体の外部に配置されるようにしてもよい。
【００１０】
本願の画像表示装置は、第１の情報を記憶する第１の記憶部と、近距離無線通信によって第２の情報が書き込まれる第２の記憶部と、前記第２の記憶部に書き込まれた前記第２の情報に基づいて認証を行う認証部と、前記認証部による認証が成立した場合に、前記第１の情報の読み出しを許可する制御部と、を備えたことを特徴とする。
【００１１】
上記の画像表示装置において、指示体による指示位置を検出する検出部と、前記指示位置の軌跡に基づいて画像情報を生成する生成部と、をさらに備え、前記第１の情報は、前記生成部で生成された前記画像情報であることが望ましい。
【００１２】
上記の画像表示装置において、前記表示部が表示する画像の画像情報を画面単位で取得する取得部をさらに備え、前記第１の情報は、前記取得部で取得された画像情報であることが望ましい。
【００１３】
上記の画像表示装置において、前記第１の情報は、前記画像表示装置の動作に関するパラメーターであることが望ましい。
【００１４】
上記の画像表示装置において、前記表示部を収容する筐体を備え、前記第２の記憶部は、前記筐体の外部に配置されるようにしてもよい。
【００１５】
本願の画像表示システムの制御方法は、端末装置と、第１の記憶部及び第２の記憶部を有する画像表示装置とを備える画像表示システムの制御方法であって、前記端末装置に入力された認証情報に基づいて、前記端末装置が近距離無線通信によって前記第２の記憶部に第２の情報を書き込み、前記画像表示装置が、前記第２の記憶部に書き込まれた前記第２の情報に基づいて認証を行い、前記画像表示装置が、前記認証が成立した場合に、前記第１の記憶部に記憶されている第１の情報の読み出しを許可することを特徴とする。
【００１６】
上記の画像表示システムの制御方法において、前記画像表示装置は、指示体による指示位置を検出し、前記指示位置の軌跡に基づいて画像情報を生成し、前記第１の情報は、前記指示位置の軌跡に基づいて生成された前記画像情報であることが望ましい。
【００１７】
上記の画像表示システムの制御方法において、前記画像表示装置は、表示する画像の画像情報を画面単位で取得し、前記第１の情報は、前記画面単位で取得された画像情報であることが望ましい。
【００１８】
上記の画像表示システムの制御方法において、前記第１の情報は、前記画像表示装置の動作に関するパラメーターであることが望ましい。
【００１９】
上記の画像表示システムの制御方法において、前記画像表示装置は、画像を表示する表示部と、前記表示部を収容する筐体とを備え、前記第２の記憶部は、前記筐体の外部に配置されるようにしてもよい。
【図面の簡単な説明】
【００２０】
【図１】画像表示システムの概略構成を示す図。
【図２】プロジェクターの概略構成を示すブロック図。
【図３】プロジェクターに備わる画像投写部の概略構成を示すブロック図。
【図４】端末装置の概略構成を示すブロック図。
【図５】プロジェクターの動作を説明するためのフローチャート。
【図６】プロジェクターが投写するログイン画面を示す図。
【図７】ログイン情報を書き込む際の端末装置の動作を説明するためのフローチャート。
【図８】端末装置が表示するログイン情報入力画面を示す図。
【図９】変形例に係るプロジェクターを示す図。
【発明を実施するための形態】
【００２１】
以下、本実施形態の画像表示システムについて、図面を参照して説明する。
図１は、本実施形態の画像表示システム１００の概略構成を示す図である。
図１に示すように、画像表示システム１００は、画像表示装置としてのプロジェクター１と、スマートフォンやタブレット端末等で構成される端末装置２と、指示体としての発光ペン３とを備えている。プロジェクター１は、外部から供給される画像情報又は予め内部に記憶されている画像情報に基づく画像を、表示面としての投写面Ｓｐに投写する。投写面Ｓｐとしては、例えば、スクリーンやホワイトボード等を用いることができるが、部屋の壁面に画像を投写する態様であってもよい。
【００２２】
発光ペン３は、先端（ペン先）から赤外光を発する指示体である。ユーザーは、投写面Ｓｐ上に投写された画像（以降、「投写画像Ｉｐ」とも呼ぶ。）上の任意の位置を発光ペン３で指示することができる。プロジェクター１は、投写画像Ｉｐを含む範囲を撮像可能になっており、発光ペン３が発する赤外光を撮像し、その光の位置に基づいて、投写画像Ｉｐ内で発光ペン３により指示された位置（指示位置）を検出する。そして、プロジェクター１は、検出された指示位置に、ポインターを重畳して表示したり、指示位置の軌跡に沿って線を描画した画像（以降、「描画画像」とも呼ぶ。）を重畳して表示したりすることができる。なお、発光ペン３が発する光は、赤外光に限定されず、他の波長域の光であってもよい。
【００２３】
本実施形態のプロジェクター１は、近距離無線通信技術の規格であるＮＦＣ（Near Field Communication）に対応するＮＦＣタグ１４を筐体１ａの内部に備えている。ＮＦＣは、１３．５６ＭＨｚの周波数帯の電波を利用して、最大で１０ｃｍ程度の距離を隔てたデバイス間で情報の書き込みや読み出しを可能とする規格である。ユーザーは、ＮＦＣタグ１４の近傍に端末装置２をかざして、端末装置２からＮＦＣタグ１４にログイン情報を書き込むことにより、プロジェクター１にログインすることができる。
【００２４】
図２は、プロジェクター１の概略構成を示すブロック図であり、図３は、プロジェクター１に備わる画像投写部１７の概略構成を示すブロック図である。
図２に示すように、プロジェクター１は、制御部１０と、記憶部１１と、入力操作部１２と、撮像部１３と、ＮＦＣタグ１４と、画像情報入力部１５と、画像情報処理部１６と、表示部としての画像投写部１７とを備えて構成され、これらは筐体１ａ（図１参照）に収容されている。プロジェクター１は、画像情報入力部１５に入力される画像情報に基づいて、画像投写部１７から投写面Ｓｐに画像を投写する。
【００２５】
制御部１０は、１つ又は複数のプロセッサーを備えて構成され、記憶部１１に記憶されている制御プログラムに従って動作することによりプロジェクター１の動作を統括制御する。
【００２６】
記憶部１１は、ＲＡＭ（Random Access Memory）及びＲＯＭ（Read Only Memory）等のメモリーを備えて構成される。ＲＡＭは、各種データ等の一時記憶に用いられ、ＲＯＭは、プロジェクター１の動作を制御するための制御プログラムや制御データ等を記憶する。また、記憶部１１は、画像投写部１７から投写させる画像の画像情報を記憶していてもよい。
【００２７】
本実施形態の記憶部１１には、各種データの格納が可能な複数のフォルダーが生成されている。各フォルダーは、それぞれ異なるユーザーに対応付けられており、各フォルダーに格納されているデータには、対応するユーザーのみがアクセスできる。また、記憶部１１には、ユーザーを管理するためのユーザー管理テーブルＴｍが記憶されている。ユーザー管理テーブルＴｍには、ユーザーを識別するための複数のユーザーＩＤ（Identification）が格納されており、各ユーザーＩＤには、ユーザーを認証するためのパスワードと、このユーザーが使用可能なフォルダーを表すフォルダー情報と、プロジェクター１の動作に関してこのユーザーによって設定された各種パラメーターを表す設定情報とが対応付けられている。設定情報には、例えば、投写する画像の明るさ、色、シャープネス等、画質に関するパラメーター等が含まれる。
【００２８】
入力操作部１２は、ユーザーがプロジェクター１に対して各種指示を行うための複数の操作キーを備えており、操作キーに対するユーザーの入力操作を受け付ける。入力操作部１２が備える操作キーとしては、電源のオンとオフ（スタンバイ）とを切り替えるための「電源キー」、各種設定を行うためのメニュー画面を表示させる「メニューキー」、メニュー画面上で項目を選択するための「方向キー」等がある。ユーザーが入力操作部１２の各種操作キーを操作すると、入力操作部１２は、ユーザーの操作内容に応じた操作信号を制御部１０に出力する。なお、遠隔操作が可能なリモコン（図示せず）を、入力操作部１２として用いる構成としてもよい。この場合、リモコンは、ユーザーの操作内容に応じた赤外線の操作信号を発信し、図示しないリモコン信号受信部がこれを受信して制御部１０に伝達する。
【００２９】
撮像部１３は、ＣＣＤ（Charge Coupled Device）センサー、或いはＣＭＯＳ（Complementary Metal Oxide Semiconductor）センサー等の撮像素子（図示せず）を備えたカメラである。撮像部１３は、可視光を吸収して赤外光を透過させる赤外透過フィルターを有しており、この赤外透過フィルターを介して発光ペン３から発せられる赤外光を撮像する。撮像部１３は、制御部１０の制御に基づいて投写面Ｓｐ上の投写画像Ｉｐを含む範囲を撮像し、その撮像結果である画像情報（撮像画像情報）を制御部１０に出力する。
【００３０】
ＮＦＣタグ１４は、ＮＦＣによって情報の読み書きがなされる記憶媒体であり、ＩＣチップ１４ａとアンテナ１４ｂとを含んで構成されている。ＩＣチップ１４ａには、情報が記憶される記憶回路や、アンテナ１４ｂが接続されるＲＦ（Radio Frequency）通信回路、制御部１０と通信を行うためのシリアルインターフェイス回路、これらの各部を制御する制御回路等が含まれている。ＩＣチップ１４ａに含まれる記憶回路は、不揮発性のメモリーであり、例えば、ＦｅＲＡＭ（強誘電体メモリー）が用いられる。
【００３１】
画像情報入力部１５は、コンピューターや各種画像再生装置等の外部の画像供給装置４に接続され、画像供給装置４から画像情報の供給を受ける。また、画像情報入力部１５は、制御部１０から、記憶部１１に記憶されている画像情報の供給を受けることができる。画像情報入力部１５は、入力された画像情報を画像情報処理部１６に出力する。
【００３２】
画像情報処理部１６は、制御部１０の制御に基づいて、画像情報入力部１５から入力される画像情報に対して様々な処理を施し、処理後の画像情報を画像投写部１７のライトバルブ駆動部２４（図３参照）に出力する。例えば、画像情報処理部１６は、明るさや色合い等の画質を調整する処理や、画像の歪みを補正する処理、ポインターや描画画像、メニュー画像等のＯＳＤ（オンスクリーンディスプレイ）画像を投写画像Ｉｐ上に重畳する処理等を必要に応じて画像情報に施す。
【００３３】
なお、画像情報入力部１５及び画像情報処理部１６は、１つ又は複数のプロセッサー等によって構成されてもよいし、ＡＳＩＣ（Application Specific Integrated Circuit）やＦＰＧＡ（Field Programmable Gate Array）等の専用の処理装置によって構成されてもよい。
【００３４】
図３に示すように、画像投写部１７は、光源２１、光変調装置としての３つの液晶ライトバルブ２２Ｒ，２２Ｇ，２２Ｂ、投写光学系２３、ライトバルブ駆動部２４等を備えて構成されている。画像投写部１７は、光源２１から射出された光を、液晶ライトバルブ２２Ｒ，２２Ｇ，２２Ｂで変調して画像光を形成し、レンズ及びミラーの少なくとも一方を含む投写光学系２３からこの画像光を投写して投写面Ｓｐに画像を表示する。
【００３５】
光源２１は、超高圧水銀ランプやメタルハライドランプ等の放電型の光源ランプ、又は発光ダイオードや半導体レーザー等の固体光源を含んで構成されている。光源２１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ２２Ｒ，２２Ｇ，２２Ｂに入射する。
【００３６】
液晶ライトバルブ２２Ｒ，２２Ｇ，２２Ｂは、それぞれ一対の透明基板間に液晶が封入された透過型の液晶パネル等によって構成される。各液晶パネルには、マトリクス状に配列された複数の画素からなる矩形の画像形成領域２２ｉが形成されており、液晶に対して画素毎に駆動電圧を印加可能になっている。
【００３７】
ライトバルブ駆動部２４は、液晶ライトバルブ２２Ｒ，２２Ｇ，２２Ｂの画像形成領域２２ｉに画像を形成する。具体的には、ライトバルブ駆動部２４は、画像情報処理部１６から入力される画像情報に応じた駆動電圧を、画像形成領域２２ｉの各画素に印加することにより、各画素を画像情報に応じた光透過率に設定する。光源２１から射出された光は、液晶ライトバルブ２２Ｒ，２２Ｇ，２２Ｂの画像形成領域２２ｉを透過することによって画素毎に変調され、画像情報に応じた画像光が色光毎に形成される。形成された各色の画像光は、図示しない色合成光学系によって画素毎に合成されてカラー画像を表す画像光となり、投写光学系２３によって投写面Ｓｐに拡大投写される。この結果、投写面Ｓｐ上には、画像情報入力部１５に入力された画像情報に基づく画像が表示される。
【００３８】
図２に戻って、制御部１０は、制御プログラムによって実現される機能ブロックとして、検出部２５と、生成部２６と、取得部２７と、認証部２８とを有している。
【００３９】
検出部２５は、撮像部１３から入力される撮像画像情報に基づいて、撮像された画像の中から、発光ペン３の指示位置、即ち発光ペン３が発した赤外光を検出する。検出部２５は、撮像された画像内に含まれる赤外光の像のうち、所定の閾値以上の明るさで、所定の閾値以上の大きさを有する像を、発光ペン３が発した光とみなして検出する。
【００４０】
生成部２６は、発光ペン３で描画を行う場合に、発光ペン３による指示位置の軌跡に基づいて描画画像を生成し、生成した描画画像の画像情報を画像情報処理部１６に出力する。画像情報処理部１６が、生成部２６から入力された画像情報に基づいて、描画画像をＯＳＤ画像として重畳する処理を行うと、画像投写部１７から描画画像が重畳された状態で投写画像Ｉｐが投写される。また、生成部２６は、ユーザーの入力操作に基づいて、生成した描画画像の画像情報を記憶部１１に記憶させることができる。また、生成部２６は、ユーザーの入力操作に基づいて、記憶部１１に記憶した描画画像の画像情報を読み出し、これを画像情報処理部１６に出力して描画画像をＯＳＤ画像として表示させることができる。つまり、ユーザーは、過去に描画した描画画像を後で再現することができる。
【００４１】
取得部２７は、ユーザーの入力操作に基づいて、表示中の画像をキャプチャーする。具体的には、取得部２７は、ユーザーにより所定の入力操作がなされた場合に、画像情報処理部１６から処理後の画像情報をフレーム（画面）単位で取得して、記憶部１１に記憶する。また、取得部２７は、ユーザーの入力操作に基づいて、取得した画像情報を記憶部１１から読み出し、これを画像情報入力部１５に出力することにより、キャプチャーした画像を画像投写部１７から投写させることができる。
【００４２】
認証部２８は、記憶部１１に記憶されているユーザー管理テーブルＴｍに基づいて、ユーザー認証を実行する。認証部２８によるユーザー認証については後述する。
【００４３】
図４は、端末装置２の概略構成を示すブロック図である。
図４に示すように、端末装置２は、制御部３０と、記憶部３１と、表示部３２と、入力操作部３３と、通信部３４と、書き込み部としてのＮＦＣリーダーライター３５とを備えている。
【００４４】
制御部３０は、１つ又は複数のプロセッサーを含んで構成される。制御部３０は、記憶部３１に記憶されているＯＳ（Operating System）やアプリケーションプログラムに従って動作することにより、端末装置２の動作を統括制御する。
【００４５】
記憶部３１は、ＲＡＭ（Random Access Memory）及びＲＯＭ（Read Only Memory）等のメモリーを備えて構成される。記憶部３１は、ＯＳ、アプリケーションプログラム及び各種データ等を記憶する。本実施形態の記憶部３１には、プロジェクター１の使用に際してユーザーを認証するためのアプリケーションプログラム（ユーザー認証プログラムＰｕ）が記憶されている。
【００４６】
表示部３２は、液晶ディスプレイや有機ＥＬ（Electro Luminescence）ディスプレイ等の表示装置を備えて構成され、制御部３０から入力される画像情報に基づく画像を表示する。
【００４７】
入力操作部３３は、表示部３２と一体的に構成されるタッチパネル、及び操作ボタン等を含んで構成され、ユーザーによる入力操作を受け付ける。ユーザーが入力操作部３３を操作すると、入力操作部３３は、ユーザーの操作内容に応じた操作信号を制御部３０に出力する。
【００４８】
通信部３４は、携帯電話回線や無線ＬＡＮ（Local Area Network）等によって無線通信を行うための無線通信デバイスを備えて構成される。通信部３４は、制御部３０の制御に基づいて、図示しない外部の装置との間で無線により情報の送受信を行うことができる。
【００４９】
ＮＦＣリーダーライター３５は、ＮＦＣによって情報の読み書きを行う装置であり、アンテナ、制御回路、記憶回路、各種インターフェイス回路等（いずれも図示せず）を含んで構成される。ＮＦＣリーダーライター３５は、制御部３０の制御に基づいて、プロジェクター１のＮＦＣタグ１４にログイン情報を書き込むことができる。
【００５０】
次に、画像表示システム１００の動作（制御方法）について説明する。
図５は、プロジェクター１の動作を説明するためのフローチャートであり、図６は、プロジェクター１が投写するログイン画面Ｓ１を示す図である。プロジェクター１に電源が投入されて動作が可能な状態になると、プロジェクター１の制御部１０は、図５に示すフローに従って動作する。
【００５１】
図５に示すように、ステップＳ１０１では、プロジェクター１の制御部１０は、記憶部１１に記憶されているログイン画面Ｓ１（図６参照）用の画像情報を画像情報処理部１６に出力し、ログイン画面Ｓ１をＯＳＤ画像として画像投写部１７から投写させる。
【００５２】
図６に示すように、ログイン画面Ｓ１には、ＮＦＣタグ１４へのログイン情報の書き込みを促すメッセージＭｉが含まれており、ユーザーは、このメッセージＭｉが表示されると、端末装置２を用いてログイン情報の書き込みを行うことができる。なお、ログイン画面Ｓ１には、ユーザー認証を行わずにゲスト、即ち一時的なユーザーとしてプロジェクター１を使用するためのゲストボタンＢｇが配置されている。ユーザーは、入力操作部１２によりゲストボタンＢｇを選択する操作を行うことにより、ゲストとしてログインすることも可能である。
【００５３】
図７は、ログイン情報を書き込む際の端末装置２の動作を説明するためのフローチャートであり、図８は、端末装置２が表示するログイン情報入力画面Ｓ２を示す図である。ユーザーが端末装置２の入力操作部３３を操作してユーザー認証プログラムＰｕを起動すると、端末装置２の制御部３０は、ユーザー認証プログラムＰｕに従った動作を開始する。
【００５４】
図７に示すように、ステップＳ２０１では、端末装置２の制御部３０は、表示部３２にログイン情報入力画面Ｓ２（図８参照）を表示させる。
【００５５】
図８に示すように、ログイン情報入力画面Ｓ２には、ユーザーＩＤを入力するためのユーザーＩＤ入力領域Ａ１と、パスワードを入力するためのパスワード入力領域Ａ２と、ログイン情報の書き込みを実行するための書き込みボタンＢｗとが含まれている。ユーザーがユーザーＩＤ入力領域Ａ１又はパスワード入力領域Ａ２上でタッチパネルにタッチすると、ログイン情報入力画面Ｓ２上に図示しないソフトウェアキーボードが重畳して表示され、ユーザーＩＤ及びパスワードの入力が可能となる。ユーザーは、ユーザーＩＤ及びパスワードを入力した後で、書き込みボタンＢｗを操作することにより、ユーザーＩＤ及びパスワードを含むログイン情報を、プロジェクター１のＮＦＣタグ１４に書き込むことができる。
【００５６】
図７に戻って、ステップＳ２０２では、端末装置２の制御部３０は、ユーザーにより書き込みボタンＢｗが操作されたか否か、即ち書き込みボタンＢｗ上でタッチパネルがタッチされたか否かを判断する。そして、制御部３０は、書き込みボタンＢｗが操作された場合にはステップＳ２０３に処理を移し、操作されていない場合にはステップＳ２０２を繰り返す。
【００５７】
書き込みボタンＢｗが操作されてステップＳ２０３に処理が移行した場合には、端末装置２の制御部３０は、ＮＦＣリーダーライター３５を制御して、ログイン情報入力画面Ｓ２で入力されたユーザーＩＤ及びパスワードを含むログイン情報を、プロジェクター１のＮＦＣタグ１４に書き込んでフローを終了する。このように、プロジェクター１がログイン画面Ｓ１を投写している状態において、ユーザーは、端末装置２のログイン情報入力画面Ｓ２でユーザーＩＤ及びパスワードを入力した後、端末装置２をプロジェクター１のＮＦＣタグ１４に近接させた状態で書き込みボタンＢｗを操作することにより、プロジェクター１のＮＦＣタグ１４にログイン情報を書き込むことができる。
【００５８】
図５に戻って、ステップＳ１０２では、プロジェクター１の制御部１０は、ＮＦＣタグ１４にログイン情報が書き込まれたか否かを判断する。そして、ログイン情報が書き込まれていない場合にはステップＳ１０３に処理を移し、ログイン情報が書き込まれた場合にはステップＳ１０４に処理を移す。
【００５９】
ログイン情報が書き込まれずにステップＳ１０３に処理が移行した場合には、プロジェクター１の制御部１０は、ゲストボタンＢｇが選択されたか否かを判断する。そして、制御部１０は、ゲストボタンＢｇが選択された場合にはステップＳ１０９に処理を移し、ゲストボタンＢｇが選択されていない場合にはステップＳ１０２に処理を戻す。
【００６０】
一方、ステップＳ１０２にてログイン情報が書き込まれてステップＳ１０４に処理が移行した場合には、プロジェクター１の制御部１０は、書き込まれたログイン情報に基づいて、認証部２８によりユーザー認証を実行する。具体的には、認証部２８は、ログイン情報に含まれるユーザーＩＤ及びパスワードを、記憶部１１のユーザー管理テーブルＴｍに格納されているユーザーＩＤ及びパスワードと照合する。そして、照合の結果、ログイン情報に含まれるユーザーＩＤとパスワードの組み合わせが、ユーザー管理テーブルＴｍに格納されている場合には、ユーザー認証は成立し、ユーザー管理テーブルＴｍに格納されていない場合には、ユーザー認証は不成立となる。
【００６１】
その後、ステップＳ１０５において、プロジェクター１の制御部１０は、ＮＦＣタグ１４に書き込まれたログイン情報を消去する。このように、ＮＦＣタグ１４に書き込まれたログイン情報は、ユーザー認証後すぐに消去されるため、他のユーザーに読み出されてしまうリスクが小さくなっている。
【００６２】
ステップＳ１０６では、プロジェクター１の制御部１０は、認証部２８によるユーザー認証が成立したか否かを判断する。そして、制御部１０は、ユーザー認証が成立した場合にはステップＳ１０７に処理を移し、ユーザー認証が不成立の場合にはステップＳ１０８に処理を移す。
【００６３】
ユーザー認証が成立してステップＳ１０７に処理が移行した場合には、プロジェクター１の制御部１０は、ユーザー管理テーブルＴｍを参照し、プロジェクター１の動作環境を、認証されたユーザーに応じた環境に設定し、フローを終了する。具体的には、制御部１０は、認証されたユーザーに対応する設定情報に基づいて、プロジェクター１の各種パラメーターを決定するとともに、対応するフォルダー情報に基づくフォルダーへのアクセスを許可し、他のユーザー用のフォルダーへのアクセスを禁止する。これ以降、ユーザーは、設定された動作環境でプロジェクター１の使用が可能となる。
【００６４】
一方、ユーザー認証が成立せずにステップＳ１０８に処理が移行した場合には、プロジェクター１の制御部１０は、画像情報処理部１６を制御して、ユーザー認証に失敗した旨を報知するエラーメッセージ（図示せず）をＯＳＤ画像として表示させ、ステップＳ１０２に処理を戻す。
【００６５】
また、ステップＳ１０３でゲストボタンＢｇが選択されてステップＳ１０９に処理が移行した場合には、プロジェクター１の制御部１０は、ユーザー認証をスキップして、プロジェクター１の動作環境を、ゲスト用の環境に設定して、フローを終了する。具体的には、制御部１０は、プロジェクター１の各種パラメーターをデフォルトのパラメーターに設定するとともに、ゲスト用のフォルダーへのアクセスのみを許可し、他のユーザー用のフォルダーへのアクセスを禁止する。
【００６６】
ログインが完了してプロジェクター１が動作している間、ユーザーは、入力操作部１２に対して所定の操作を行うことにより、プロジェクター１の動作に関わる様々なパラメーターを変更することができる。プロジェクター１の制御部１０は、ユーザーによって変更されたパラメーターを設定情報として記憶部１１に記憶する。上述したように、設定情報は、ユーザーＩＤに対応付けられて記憶され、ユーザー管理テーブルＴｍによって管理されている。このため、同じユーザーが次にログインした際には、変更したパラメーターを含む設定情報が記憶部１１から読み出されて動作環境が設定される。つまり、プロジェクター１の動作環境は、ユーザー毎に引き継がれる。
【００６７】
また、プロジェクター１が画像を投写している際に、ユーザーは、入力操作部１２に対して所定の操作を行うことにより、投写中の画像をキャプチャーすることができる。プロジェクター１の制御部１０は、取得部２７により投写中の画像の画像情報を画面単位でキャプチャーして、記憶部１１に記憶させる。このとき、取得部２７は、キャプチャーした画像情報をこのユーザー用のフォルダーに記憶させる。
【００６８】
さらに、ユーザーは、入力操作部１２に対して所定の操作を行うことにより、発光ペン３で描画した描画画像を保存しておくことができる。プロジェクター１の制御部１０は、描画画像の画像情報を生成部２６により生成して、記憶部１１に記憶させる。このとき、生成部２６は、生成した画像情報をこのユーザー用のフォルダーに記憶させる。
【００６９】
このように、キャプチャーした画像の画像情報や描画画像の画像情報は、ログインしたユーザー用のフォルダーに記憶される。このため、他のユーザー、即ち他のユーザーＩＤでログインしたユーザーは、この画像情報を読み出すことができない。つまり、これらの画像情報は、他のユーザーに対して機密に記憶される。
【００７０】
以上説明したように、本実施形態の画像表示システム１００、プロジェクター１及びそれらの制御方法によれば、以下の効果を得ることができる。
【００７１】
（１）本実施形態によれば、端末装置２は、プロジェクター１が備えるＮＦＣタグ１４に近距離無線通信によってログイン情報を書き込み、プロジェクター１は、書き込まれたログイン情報に基づいてユーザー認証を行う。このため、近距離無線通信によって外部の情報を読み出す装置（ＮＦＣリーダーライター）をプロジェクター１が備える構成に比べて、プロジェクター１の構成を簡略化することが可能となり、コストの上昇が抑制される。
【００７２】
（２）本実施形態によれば、ユーザー認証が成立した場合に、発光ペン３によって描画された画像の画像情報や、取得部２７によってキャプチャーされた画像情報の読み出しが許可されるため、これらの画像情報を機密に保持することが可能となる。
【００７３】
（３）本実施形態によれば、ユーザー認証が成立した場合に、プロジェクター１の動作に関するパラメーターの読み出しが許可されるため、認証されたユーザーに適したパラメーターに設定することが容易になる。
【００７４】
なお、上記実施形態において、プロジェクター１の記憶部１１が第１の記憶部に相当し、制御部１０によって記憶部１１に記憶される設定情報や、生成部２６及び取得部２７によって記憶部１１に記憶される画像情報が第１の情報に相当する。また、ＮＦＣタグ１４において記憶回路を有するＩＣチップ１４ａが第２の記憶部に相当し、ＮＦＣタグ１４に書き込まれるログイン情報が第２の情報に相当する。また、端末装置２において、ログイン情報入力画面Ｓ２を表示する表示部３２と、ユーザーＩＤ及びパスワードの入力を受け付ける入力操作部３３（タッチパネル）とが入力部に相当し、ログイン情報入力画面Ｓ２で入力されるユーザーＩＤ及びパスワードが認証情報に相当する。
【００７５】
（変形例）
また、上記実施形態は、以下のように変更してもよい。
【００７６】
上記実施形態では、ＮＦＣタグ１４は、プロジェクター１の筐体１ａの内部に配置されているが、この態様に限定されない。例えば、プロジェクター１が壁面や天井等に設置されて、プロジェクター１の筐体１ａに端末装置２をかざすことが困難な場合には、図９に示すように、筐体１ａの外部の適切な場所にＮＦＣタグ１４を配置する態様としてもよい。この場合、ＮＦＣタグ１４は、プロジェクター１の本体（筐体１ａ）とケーブル１４ｃによって接続される。この構成によれば、プロジェクター１の本体の設置位置に拘らず、端末装置２を用いたユーザー認証を容易に行うことが可能となる。
【００７７】
上記実施形態では、ユーザーＩＤとパスワードを用いてユーザー認証を行う態様を示したが、この態様に限定されない。例えば、ユーザーＩＤとパスワードに加えて、端末装置２に固有の識別情報（例えば、シリアル番号）等をログイン情報に含めるようにすれば、ユーザー認証をより厳格に行うことが可能となる。また、ユーザーＩＤとパスワードによるユーザー認証が成立した後に、プロジェクター１が所定の暗証番号の入力をユーザーに求めるようにしてもよい。また、セキュリティーを強化するために、端末装置２がログイン情報を暗号化してＮＦＣタグ１４に書き込むようにしてもよい。
【００７８】
また、ユーザーＩＤとパスワードとを対応付けたユーザー管理テーブルを端末装置２の記憶部３１にも記憶させておき、端末装置２からＮＦＣタグ１４へのログイン情報の書き込みに先立って、端末装置２側でもユーザー認証を行うようにしてもよい。この場合には、端末装置２の制御部３０は、ログイン情報入力画面Ｓ２で入力されたユーザーＩＤ及びパスワードを、記憶部３１のユーザー管理テーブルに格納されているユーザーＩＤ及びパスワードと照合してユーザー認証を行う。そして、制御部３０は、ユーザー認証が成立した場合にのみ、ＮＦＣタグ１４へのログイン情報の書き込みを実行させ、ユーザー認証が不成立の場合には、書き込みを実行しない。
【００７９】
上記実施形態において、ユーザー毎に記憶部１１に記憶される設定情報として、画質に関するパラメーターを例示したが、プロジェクター１の動作に関するパラメーターは、これに限定されない。例えば、発光ペン３の指示位置に表示されるポインターの形状を表すパラメーターや、節電のための動作モードを表すパラメーターが設定情報に含まれていてもよい。また、プロジェクター１がネットワークを介して通信を行う通信手段を備える場合には、ネットワークに関する各種パラメーターや常用する通信先のアドレス等が含まれていてもよい。
【００８０】
上記実施形態では、ＮＦＣタグ１４のＩＣチップ１４ａに備わる不揮発性のメモリーにログイン情報を書き込む態様を示したが、この態様に限定されない。例えば、ＩＣチップ１４ａが、不揮発性のメモリーに代えて、或いは不揮発性のメモリーとともに揮発性のメモリーを備える構成の場合には、揮発性のメモリーにログイン情報を書き込むようにしてもよい。
【００８１】
上記実施形態では、ログイン情報を書き込むための近距離無線通信技術として、ＮＦＣを採用しているが、ＮＦＣ以外の通信技術が用いられてもよい。ただし、通信可能な距離が長い通信技術を採用した場合には、端末装置２から送信されたログイン情報が、第三者に受信されてしまう恐れがある。このため、通信可能な距離は、１ｍ以下であることが望ましく、ＮＦＣのように１０ｃｍ程度であることがより望ましい。
【００８２】
上記実施形態では、検出部２５が、指示体としての発光ペン３による指示位置を検出する構成を示したが、指示体は発光ペン３に限定されない。例えば、検出部２５は、ユーザーの指によって指示された指示位置を検出可能な構成であってもよい。この場合には、ユーザーの指が指示体に相当する。
【００８３】
上記実施形態では、ログイン情報入力画面Ｓ２の書き込みボタンＢｗが操作された際に、ＮＦＣタグ１４に対するログイン情報の書き込みを実行するようにしているが、書き込みボタンＢｗが操作されてから所定時間後（例えば、数秒後）に書き込みを実行する態様にしてもよい。操作の直後に書き込みを実行する態様では、ユーザーは、端末装置２を片手で保持してプロジェクター１にかざしながら、もう一方の手で書き込みボタンＢｗを操作する必要がある。一方、書き込みボタンＢｗが操作されたから所定時間後に書き込みを実行する態様では、手元で書き込みボタンＢｗを操作した後で、所定時間内に片手で端末装置２をかざせばよいため、ユーザーの利便性が向上する。
【００８４】
上記実施形態では、光変調装置として、透過型の液晶ライトバルブ２２Ｒ，２２Ｇ，２２Ｂを用いているが、反射型の液晶ライトバルブ等、反射型の光変調装置を用いることも可能である。また、入射した光の射出方向を、画素としてのマイクロミラー毎に制御することにより、光源２１から射出された光を変調するデジタルミラーデバイス等を用いることもできる。また、色光別に複数の光変調装置を備える構成に限定されず、１つの光変調装置で複数の色光を時分割で変調する構成としてもよい。
【００８５】
上記実施形態では、画像表示装置の例として、プロジェクター１について説明したが、画像表示装置はプロジェクター１に限定されず、液晶ディスプレイや有機ＥＬディスプレイ等、他の画像表示装置であってもよい。
【００８６】
以下に、実施形態から導き出される内容を記載する。
【００８７】
画像表示システムは、画像表示装置と端末装置とを備える画像表示システムであって、前記画像表示装置は、画像を表示する表示部と、第１の情報を記憶する第１の記憶部と、近距離無線通信によって第２の情報が書き込まれる第２の記憶部と、前記第２の記憶部に書き込まれた前記第２の情報に基づいて認証を行う認証部と、前記認証部による認証が成立した場合に、前記第１の情報の読み出しを許可する制御部と、を備え、前記端末装置は、認証情報を入力するための入力部と、前記入力部により入力された前記認証情報に基づいて、前記近距離無線通信によって前記第２の記憶部に前記第２の情報を書き込む書き込み部と、を備えたことを特徴とする。
【００８８】
この構成によれば、端末装置は、画像表示装置が備える第２の記憶部に近距離無線通信によって第２の情報を書き込み、画像表示装置は、書き込まれた第２の情報に基づいて認証を行う。このため、近距離無線通信によって外部の情報を読み出す装置を画像表示装置が備える構成に比べて、画像表示装置の構成を簡略化することが可能となり、コストの上昇が抑制される。
【００８９】
上記の画像表示システムにおいて、前記画像表示装置は、指示体による指示位置を検出する検出部と、前記指示位置の軌跡に基づいて画像情報を生成する生成部と、をさらに備え、前記第１の情報は、前記生成部で生成された前記画像情報であることが望ましい。
【００９０】
この構成によれば、認証部による認証が成立した場合に、指示体の指示位置の軌跡に基づく画像情報、即ち指示体によって描画された画像の画像情報の読み出しが許可されるため、この画像情報を機密に保持することが可能となる。
【００９１】
上記の画像表示システムにおいて、前記画像表示装置は、前記表示部が表示する画像の画像情報を画面単位で取得する取得部をさらに備え、前記第１の情報は、前記取得部で取得された画像情報であることが望ましい。
【００９２】
この構成によれば、認証部による認証が成立した場合に、画面単位で取得した画像情報の読み出しが許可されるため、この画像情報を機密に保持することが可能となる。
【００９３】
上記の画像表示システムにおいて、前記第１の情報は、前記画像表示装置の動作に関するパラメーターであることが望ましい。
【００９４】
この構成によれば、認証部による認証が成立した場合に、画像表示装置の動作に関するパラメーターの読み出しが許可されるため、認証されたユーザーに適したパラメーターに設定することが容易になる。
【００９５】
上記の画像表示システムにおいて、前記画像表示装置は、前記表示部を収容する筐体を備え、前記第２の記憶部は、前記筐体の外部に配置されるようにしてもよい。
【００９６】
この構成によれば、端末装置から第２の情報の書き込みが行われる第２の記憶部が筐体の外部に配置されるため、筐体の設置位置に拘らず、端末装置を用いたユーザー認証を容易に行うことが可能となる。
【００９７】
画像表示装置は、第１の情報を記憶する第１の記憶部と、近距離無線通信によって第２の情報が書き込まれる第２の記憶部と、前記第２の記憶部に書き込まれた前記第２の情報に基づいて認証を行う認証部と、前記認証部による認証が成立した場合に、前記第１の情報の読み出しを許可する制御部と、を備えたことを特徴とする。
【００９８】
この構成によれば、画像表示装置は、近距離無線通信によって第２の情報が書き込まれる第２の記憶部を有し、この第２の記憶部に書き込まれた第２の情報に基づいて認証を行う。このため、近距離無線通信によって外部の情報を読み出す装置を画像表示装置が備える構成に比べて、画像表示装置の構成を簡略化することが可能となり、コストの上昇が抑制される。
【００９９】
上記の画像表示装置において、指示体による指示位置を検出する検出部と、前記指示位置の軌跡に基づいて画像情報を生成する生成部と、をさらに備え、前記第１の情報は、前記生成部で生成された前記画像情報であることが望ましい。
【０１００】
この構成によれば、認証部による認証が成立した場合に、指示体の指示位置の軌跡に基づく画像情報、即ち指示体によって描画された画像の画像情報の読み出しが許可されるため、この画像情報を機密に保持することが可能となる。
【０１０１】
上記の画像表示装置において、前記表示部が表示する画像の画像情報を画面単位で取得する取得部をさらに備え、前記第１の情報は、前記取得部で取得された画像情報であることが望ましい。
【０１０２】
この構成によれば、認証部による認証が成立した場合に、画面単位で取得した画像情報の読み出しが許可されるため、この画像情報を機密に保持することが可能となる。
【０１０３】
上記の画像表示装置において、前記第１の情報は、前記画像表示装置の動作に関するパラメーターであることが望ましい。
【０１０４】
この構成によれば、認証部による認証が成立した場合に、画像表示装置の動作に関するパラメーターの読み出しが許可されるため、認証されたユーザーに適したパラメーターに設定することが容易になる。
【０１０５】
上記の画像表示装置において、前記表示部を収容する筐体を備え、前記第２の記憶部は、前記筐体の外部に配置されるようにしてもよい。
【０１０６】
この構成によれば、端末装置から第２の情報の書き込みが行われる第２の記憶部が筐体の外部に配置されるため、筐体の設置位置に拘らず、端末装置を用いたユーザー認証を容易に行うことが可能となる。
【０１０７】
画像表示システムの制御方法は、端末装置と、第１の記憶部及び第２の記憶部を有する画像表示装置とを備える画像表示システムの制御方法であって、前記端末装置に入力された認証情報に基づいて、前記端末装置が近距離無線通信によって前記第２の記憶部に第２の情報を書き込み、前記画像表示装置が、前記第２の記憶部に書き込まれた前記第２の情報に基づいて認証を行い、前記画像表示装置が、前記認証が成立した場合に、前記第１の記憶部に記憶されている第１の情報の読み出しを許可することを特徴とする。
【０１０８】
この構成によれば、端末装置は、画像表示装置が備える第２の記憶部に近距離無線通信によって第２の情報を書き込み、画像表示装置は、書き込まれた第２の情報に基づいて認証を行う。このため、近距離無線通信によって外部の情報を読み出す装置を画像表示装置が備える構成に比べて、画像表示装置の構成を簡略化することが可能となり、コストの上昇が抑制される。
【０１０９】
上記の画像表示システムの制御方法において、前記画像表示装置は、指示体による指示位置を検出し、前記指示位置の軌跡に基づいて画像情報を生成し、前記第１の情報は、前記指示位置の軌跡に基づいて生成された前記画像情報であることが望ましい。
【０１１０】
この構成によれば、認証が成立した場合に、指示体の指示位置の軌跡に基づく画像情報、即ち指示体によって描画された画像の画像情報の読み出しが許可されるため、この画像情報を機密に保持することが可能となる。
【０１１１】
上記の画像表示システムの制御方法において、前記画像表示装置は、表示する画像の画像情報を画面単位で取得し、前記第１の情報は、前記画面単位で取得された画像情報であることが望ましい。
【０１１２】
この構成によれば、認証が成立した場合に、画面単位で取得した画像情報の読み出しが許可されるため、この画像情報を機密に保持することが可能となる。
【０１１３】
上記の画像表示システムの制御方法において、前記第１の情報は、前記画像表示装置の動作に関するパラメーターであることが望ましい。
【０１１４】
この構成によれば、認証が成立した場合に、画像表示装置の動作に関するパラメーターの読み出しが許可されるため、認証されたユーザーに適したパラメーターに設定することが容易になる。
【０１１５】
上記の画像表示システムの制御方法において、前記画像表示装置は、画像を表示する表示部と、前記表示部を収容する筐体とを備え、前記第２の記憶部は、前記筐体の外部に配置されるようにしてもよい。
【０１１６】
この構成によれば、端末装置から第２の情報の書き込みが行われる第２の記憶部が筐体の外部に配置されるため、筐体の設置位置に拘らず、端末装置を用いたユーザー認証を容易に行うことが可能となる。
【符号の説明】
【０１１７】
１…プロジェクター、１ａ…筐体、２…端末装置、３…発光ペン、４…画像供給装置、１０…制御部、１１…記憶部、１２…入力操作部、１３…撮像部、１４…ＮＦＣタグ、１４ａ…ＩＣチップ、１４ｂ…アンテナ、１４ｃ…ケーブル、１５…画像情報入力部、１６…画像情報処理部、１７…画像投写部、２１…光源、２２Ｒ，２２Ｇ，２２Ｂ…液晶ライトバルブ、２２ｉ…画像形成領域、２３…投写光学系、２４…ライトバルブ駆動部、２５…検出部、２６…生成部、２７…取得部、２８…認証部、３０…制御部、３１…記憶部、３２…表示部、３３…入力操作部、３４…通信部、３５…ＮＦＣリーダーライター、１００…画像表示システム、Ａ１…ユーザーＩＤ入力領域、Ａ２…パスワード入力領域、Ｂｇ…ゲストボタン、Ｂｗ…書き込みボタン、Ｉｐ…投写画像、Ｍｉ…メッセージ、Ｐｕ…ユーザー認証プログラム、Ｓ１…ログイン画面、Ｓ２…ログイン情報入力画面、Ｓｐ…投写面、Ｔｍ…ユーザー管理テーブル。
【図１】
2020009152.tif 000003
【図２】
2020009152.tif 000004
【図３】
2020009152.tif 000005
【図４】
2020009152.tif 000006
【図５】
2020009152.tif 000007
【図６】
2020009152.tif 000008
【図７】
2020009152.tif 000009
【図８】
2020009152.tif 000010
【図９】
2020009152.tif 000011